(57)【要約】【課題】現在操作可能な機器類を乗員に対して直感的に判断可能にさせること。【解決手段】車両用操作デバイス１は、車両の複数機器類を操作するための操作デバイスである。操作デバイス１は、照明色を変更可能な照明器６０を内蔵するとともに各機器類に対応して照明器６０の照明色を予め定めておき、照明器６０の照明色によって現在操作可能な機器類を知らせるよう構成される。【選択図】図１
2004284474.tif 000002
【特許請求の範囲】
【請求項１】
車両の複数機器類を操作するための操作デバイスであって、照明色を変更可能な照明器を内蔵するとともに各機器類に対応して前記照明器の照明色を予め定めておき、前記照明器の照明色によって現在操作可能な機器類を知らせるよう構成されることを特徴とする車両用操作デバイス。
【請求項２】
車両の複数機器類を操作するための操作デバイスであって、
照明色を変更可能な照明器を内蔵するとともに各機器類に対応して前記照明器の照明色を予め定めておき、前記照明器の照明色によって現在操作可能な機器類を知らせ、
また、記憶データの消失等に繋がるリスクを伴う操作が行なわれたとき、もしくは、予め定められた所定の操作が行なわれたとき、前記照明器の照明色を、前記各機器類に対応して予め定められた照明色とは異なる照明色に変更し、または、前記照明器を点滅動作させるよう構成されることを特徴とする車両用操作デバイス。
【請求項３】
車両の複数機器類を操作するための操作デバイスであって、
照明色を変更可能な照明器を内蔵するとともに各機器類に対応して前記照明器の照明色を予め定めておき、前記照明器の照明色によって現在操作可能な機器類を知らせ、
また、前記照明器の照明色または点滅動作によって盗難防止装置が作動中であることを知らせるよう構成されることを特徴とする車両用操作デバイス。
【発明の詳細な説明】
【０００１】
【発明の属する技術分野】
本発明は、車両に搭載されるナビゲーションシステム、オーディオシステム、エアコンシステムなど複数の機器類に対する操作を集中的に行なうことができる車両用操作デバイスに関する。
【０００２】
【従来の技術】
従来から、車両の複数機器類に対する操作を簡略化するとともにインストルメントパネルにレイアウトされるスイッチ数を削減するために、インストルメントパネルの中央部の縦面において運転者が走行中に容易に手を伸ばすことができる箇所に集中操作スイッチを配置する技術が知られている（例えば、特許文献１参照）。
【０００３】
【特許文献１】
特開２００１−１１３９８１公報（
【００２４】、図１）
【０００４】
【発明が解決しようとする課題】
しかし、近年、ナビゲーションシステム、ＩＴ技術の進化により、操作すべきコンテンツが増加し、このため、表示画面数の増大により操作途中で誤った操作をしたり、助手席の搭乗者による操作切替えで表示画面が切り替わったことによって運転者が現在操作可能な機器類を即座に判断できなくなるなどの問題が生じている。
【０００５】
本発明は、上記のような従来技術の問題点を解決し、現在操作可能な機器類を直感的に判断可能な車両用操作デバイスを提供することを目的とする。
【０００６】
【課題を解決するための手段】
請求項１に係る車両用操作デバイスは、車両の複数機器類を操作するための操作デバイスであって、照明色を変更可能な照明器を内蔵するとともに各機器類に対応して前記照明器の照明色を予め定めておき、前記照明器の照明色によって現在操作可能な機器類を知らせるよう構成されることを特徴とする。
【０００７】
請求項１に係る車両用操作デバイスによると、乗員は、現在操作可能な機器類を照明器の照明色によって直感的に判断可能になるため、運転に集中しながら操作デバイスを操作することができるようになる。
【０００８】
請求項２に係る車両用操作デバイスは、車両の複数機器類を操作するための操作デバイスであって、照明色を変更可能な照明器を内蔵するとともに各機器類に対応して前記照明器の照明色を予め定めておき、前記照明器の照明色によって現在操作可能な機器類を知らせ、また、記憶データの消失等に繋がるリスクを伴う操作が行なわれたとき、もしくは、予め定められた所定の操作が行なわれたとき、前記照明器の照明色を、前記各機器類に対応して予め定められた照明色とは異なる照明色に変更し、または、前記照明器を点滅動作させるよう構成されることを特徴とする。
【０００９】
請求項２に係る車両用操作デバイスによると、乗員は、現在操作可能な機器類を照明器の照明色によって直感的に判断可能になるため、運転に集中しながら操作デバイスを操作することができるようになり、さらに、照明器の点滅動作によって記憶データの消失等に繋がるリスクを伴う操作を行なっていることを直感的に判断できるようになる。
【００１０】
請求項３に係る車両用操作デバイスは、車両の複数機器類を操作するための操作デバイスであって、照明色を変更可能な照明器を内蔵するとともに各機器類に対応して前記照明器の照明色を予め定めておき、前記照明器の照明色によって現在操作可能な機器類を知らせ、また、前記照明器の照明色または点滅動作によって盗難防止装置が作動中であることを知らせるよう構成されることを特徴とする。
【００１１】
請求項３に係る車両用操作デバイスによると、乗員は、現在操作可能な機器類を照明器の照明色によって直感的に判断可能になるため、運転に集中しながら操作デバイスを操作することができるようになり、さらに、照明器の照明色または点滅動作によって盗難防止装置が作動中であることを外部に知らせることから盗難を未然に防止することができるようになる。
【００１２】
【発明の実施の形態】
以下、本発明の実施形態を図面に基づいて説明する。
【００１３】
図１は、本発明の一実施形態に係る車両用操作デバイスの要部の構成図、図２は、車両用操作デバイスの車両への取付位置の説明図、図３は、車両用操作デバイスの斜視図、図４は、車両用操作デバイスが関連するシステムの概略構成図、図５は、ディスプレイの表示画面図、図６は、ディスプレイの他の表示画面図をそれぞれ示す。
【００１４】
車両用操作デバイス１は、図３に示すように操作パネル２と筐体３とを備え、図２に示すように、車両のインストルメントパネル４の中央部の凹部５に操作パネル２が露出するように組み付けられる。そして、操作デバイス１の組付位置の上方かつ前方（車両の前後方向を基準とした前方）には、ディスプレイ６が配置される。
【００１５】
車両用操作デバイス１は、図３に示すように、操作パネル２上に各種スイッチを備える。各種スイッチとしては、エアコン（Ａ／Ｃ）選択用スイッチ７、テレビ（ＴＶ）選択用スイッチ８、オーディオ選択用スイッチ９、メニュー選択用スイッチ１０、画面選択用スイッチ１１、ナビゲーションシステムの広域地図表示用スイッチ１２、現在地表示用スイッチ１３、詳細地図表示用スイッチ１４、エアコンのフロントデフロスタ吹出モード選択用スイッチ１５、リヤウインド除湿用スイッチ１６、ハザードランプ点灯用スイッチ１７、上記エアコン（Ａ／Ｃ）選択用スイッチ７とは別のエアコン（Ａ／Ｃ）選択用スイッチ１８、デュアル（Ｄｕａｌ）モード選択用スイッチ１９、オート（Ａｕｔｏ）モード選択用スイッチ２０、オーディオに関連するＦＭ選択用スイッチ２１、ＡＭ選択用スイッチ２２、ＣＤ選択用スイッチ２３、ＭＤ選択用スイッチ２４、ディスプレイ６の現在の表示画面を前回表示された表示画面に戻すときに操作される戻しスイッチ２５がある。また、操作パネル２上には、音量等を設定するための各種ノブ２６，２７，２８、設定温度、選局された周波数などを表示するための小型の表示画面２９が配置されている。また、操作パネル２には、筐体３に内蔵されたＣＤデッキ及びＭＤデッキにＣＤ及びＭＤをセットするためのＣＤ挿入口３０及びＭＤ挿入口３１が設けられている。
【００１６】
さらに、操作パネル２の上面には、回動操作されるボール型スイッチつまりトラックボール５０が配置されている。トラックボール５０は、ディスプレイ６の表示画面上に表示されるポインタ（矢印表示マーク）を表示画面上の任意の選択項目まで移動し、当該選択項目を選択するために操作される。図１において、トラックボール５０が回動操作されると、トラックボール５０の外周面と接触状態にあるＸ軸ローラ及びＹ軸ローラ５１がそれぞれ回転し、各回転量はＸ軸及びＹ軸５２を介してＸ軸用ロータリーエンコーダ及びＹ軸用ロータリーエンコーダ５３によって符号化され、描画ＥＣＵ１００（図４）に入力される（図１ではＸ軸系統は図示していない）。描画ＥＣＵ１００は、Ｘ軸用ロータリーエンコーダ及びＹ軸用ロータリーエンコーダ５３からの各符号化信号に基づいてトラックボール５０の回動方向及び回動量を演算してポインタのＸＹ座標位置を求め、この求めたＸＹ座標位置までポインタを移動する。なお、Ｘ軸及びＹ軸５２は、それぞれギヤ５４を介してモータ５５により駆動され、トラックボール５０の操作力に対して反力が与えられる。
【００１７】
トラックボール５０の下方には、照明器６０が配置されている。照明器６０は、光の三原色である赤色光、緑色光、青色光をそれぞれ発する赤色発光ダイオード、緑色発光ダイオード、青色発光ダイオードからなり、各発光ダイオードの明るさを調節することによって各種照明色が得られる。トラックボール５０は、照明器６０の照明色を外部に発現できるようアクリル樹脂等の半透明材料からなる。
【００１８】
照明器６０の照明色は、各機器類に対応して予め定められている。例えば、エアコンシステムに対しては緑色、オーディオシステムに対しては黄色、ナビゲーションシステムに対しては青色、情報システム（カレンダー、車両のメンテナンス時期等の情報に関するシステム）に対してはオレンジ色がそれぞれ対応付けされている。そして、照明器６０は、現在操作可能な機器類つまりディスプレイ６の表示画面に表示されている機器類に対応する照明色をつくりだし、トラックボール５０を介して外部に発現させる。例えば、表示画面に図５に示すようなナビゲーションシステムに関する画面が表示されている場合、乗員にとってナビゲーションシステムに関する操作のみが可能な状態であるため、照明器はこのことを乗員に知らせるために青色の照明色をつくり、乗員はこの青色の照明色によってナビゲーションシステムに関する操作のみが可能であることを直感的に知ることができる。また、表示画面に図６に示すようなエアコンシステムに関する画面が表示されている場合、乗員にとってエアコンシステムに関する操作のみが可能な状態であるため、照明器はこのことを乗員に知らせるために緑色の照明色をつくり、乗員はこの緑色の照明色によってエアコンシステムに関する操作のみが可能であることを直感的に知ることができる。
【００１９】
また、照明器６０は、記憶データの消失等に繋がるリスクを伴う操作が行なわれたとき、もしくは、予め定められた所定の操作が行なわれたとき、照明器６０の照明色を、各機器類に対応して予め定められた照明色とは異なる照明色に変更し、または、点滅動作をする。
【００２０】
さらに、盗難防止装置（図示せず）を備えた車両の場合、照明器６０は、盗難防止装置が作動中であることを知らせるために、任意の照明色をつくり、または点滅動作をする。
【００２１】
なお、図４に示すように、描画ＥＣＵ１００には、トラックボール５０（正確にはＸ軸用ロータリーエンコーダ、Ｙ軸用ロータリーエンコーダ５３）の他に、ナビＥＣＵ２００、エアコンＥＣＵ３００、オーディオＥＣＵ４００などが接続されている。
【００２２】
以上説明したように、本実施形態に係る車両用操作デバイス１は、車両の複数機器類を操作するための操作デバイスであって、照明色を変更可能な照明器６０を内蔵するとともに各機器類に対応して照明器６０の照明色を予め定めておき、照明器６０の照明色によって現在操作可能な機器類を知らせるよう構成される。このため、乗員は、現在操作可能な機器類を照明器６０の照明色によって直感的に判断可能になるため、運転に集中しながら操作デバイス１を操作することができるようになる。
【００２３】
また、車両用操作デバイス１は、記憶データの消失等に繋がるリスクを伴う操作が行なわれたとき、もしくは、予め定められた所定の操作が行なわれたとき、照明器６０の照明色を、各機器類に対応して予め定められた照明色とは異なる照明色に変更し、または、照明器６０を点滅動作させるよう構成される。このため、乗員は、照明器６０の点滅動作によって記憶データの消失等に繋がるリスクを伴う操作を行なっていることなどを直感的に判断できるようになる。
【００２４】
また、車両用操作デバイス１は、照明器６０の照明色または点滅動作によって盗難防止装置が作動中であることを知らせるよう構成される。このため、照明器６０の照明色または点滅動作によって盗難防止装置が作動中であることを外部に知らせることから盗難を未然に防止することができるようになる。
【００２５】
なお、集中操作スイッチとして、トラックボール５０の代わりにジョイスティック、ダイヤル等を用いてもよい。また、操作デバイス１の組付位置は図２に示す位置に限定されるものではない。また、操作デバイス１は、ステアリングホールに配設されたステアリングスイッチにも適用可能である。
【００２６】
【発明の効果】
本発明の車両用操作デバイスによると、現在操作可能な機器類を照明器の照明色によって直感的に判断可能になるため、運転に集中しながら操作デバイスを操作することができるようになる。
【図面の簡単な説明】
【図１】本発明の一実施形態に係る車両用操作デバイスの要部の構成図である。
【図２】車両用操作デバイスの車両への取付位置の説明図である。
【図３】車両用操作デバイスの斜視図である。
【図４】車両用操作デバイスが関連するシステムの概略構成図である。
【図５】ディスプレイの表示画面図である。
【図６】ディスプレイの他の表示画面図である。
【符号の説明】
１    車両用操作デバイス
６０    照明器
【図１】
2004284474.tif 000003
【図２】
2004284474.tif 000004
【図３】
2004284474.tif 000005
【図４】
2004284474.tif 000006
【図５】
2004284474.tif 000007
【図６】
2004284474.tif 000008